(57)【特許請求の範囲】
【請求項１】
機構板にパチンコ球が流下する球経路を備えたパチンコ遊技機において、
前記球経路は一側を揺動軸支部となるように固着すると共に、前記球経路の他側を該球経路の下方に設けた弾性部材を介して支持し、前記球経路にパチンコ球が流下することにより該球経路が前記軸支部を支軸として上下方向に揺動するようにしたことを特徴としたパチンコ遊技機。
【請求項２】
前記球経路を接触状に連設し、振動が他部へ伝導するようにしたことを特徴とした請求項１記載のパチンコ遊技機。
【請求項３】
前記球経路の底壁を段状に形成したことを特徴とした請求項１又は２に記載のパチンコ遊技機。
【発明の詳細な説明】
【０００１】
【発明の属する技術分野】
本発明は、機構板にパチンコ球が流下する球経路を備えたパチンコ遊技機に関するものである。
【０００２】
【従来の技術】
従来のパチンコ遊技機は、補給経路から補給されるパチンコ球を球タンクに貯留し、該球タンクのパチンコ球を球誘導樋および屈曲誘導樋を介して球払出装置に導き、貸球および賞球の払出し信号によって所定数のパチンコ球を払出すようにしている。
【０００３】
ところが、球タンクの球落下口近くまたは球誘導樋の上流部分や屈曲誘導樋に接続する下流部分において多数のパチンコ球が重なり合って球詰りが発生し、球払出装置へパチンコ球が供給されなくなることがあった。
【０００４】
そこで、周知のように最近のパチンコ遊技機では球払出装置の上方に球切れ検出スイッチを設け、球払出装置にパチンコ球が供給されなくて球切れ状態になるとランプ等を点灯して報知し、その都度店員がパチンコ遊技機の前面枠を開いて球詰り状態を直さなければならず、非常に面倒で遊技者にとっても煩わしいものであった。
【０００５】
そこで、それを解決するために、球切れ信号により振動モータ等の電気的駆動源を駆動させることにより振動を発生させて球詰りを解消するものが提案されている。（特開平７−９６０７７号公報参照）
【０００６】
【発明が解決しようとする課題】
ところで、上記のパチンコ遊技機は、球詰りを解消する電気的駆動源が必要であると共に、その電気的駆動源を作動させる複雑な回路が必要となり、コスト的にも高いものとなっていた。また、球切れが発生してから作動するものであるため、特に、大当り状態時に球切れが発生すると、遊技者に有利な状態がいわゆる「パンク」して取り消されてしまい遊技者にとって不利益になるという課題が残されている。
【０００７】
また、球払出装置にパチンコ球を供給する球経路以外（入賞球集合樋や球払出装置から払出されたパチンコ球を球受皿に導く排出樋等）で球噛み・球詰りが発生するとパチンコ球が上下球受皿に供給されなくなり、打球がなくなり遊技が中断されて遊技の妨げとなるという問題がある。
【０００８】
そこで本発明は、電気的駆動源を使用することなくパチンコ球が流下する球経路で球詰りを起すことのないパチンコ遊技機を提供することを目的としている。
【０００９】
【課題を解決するための手段】
上記目的を達成するために、請求項１記載の発明は、機構板にパチンコ球が流下する球経路を備えたパチンコ遊技機において、前記球経路を、一側が揺動軸支部となるように固着すると共に他側を弾性部材を介して支持し、パチンコ球の流下によってパチンコ球の流下方向に揺動するようにしたことを特徴としている。
【００１０】
また、請求項２記載の発明は、請求項１記載の発明において、前記球経路を接触状に連設し、振動が他部へ伝導するようにしたことを特徴としている。
【００１１】
また、請求項３記載の発明は、請求項１又は２に記載の発明において、前記球経路の底壁を段状に形成したことを特徴としている。
【００１２】
また、前記球経路は、少なくとも後面壁の上下部を機構板に接触することなく空間部を設けて取着したことを特徴としている。
【００１３】
また、本発明は、前記球経路を弾性部材を介して取着したことを特徴としている。
【００１４】
また、本発明は、前記球経路のほぼ重心部を揺動軸支部とし、該球経路を揺動自在に装着したことを特徴としている。
【００１５】
また、前記段部はパチンコ球の径より低く、しかも連続的に形成して振動を発生しやすくするのがよく、好ましくは段部の高さや間隔を異ならせたりするのがよい。
【００１６】
前記球経路は、球タンク，球誘導樋，屈曲誘導樋，入賞球集合樋，球受皿にパチンコ球を導く排出樋等である。
【００１７】
前記弾性部材はウレタンゴム、板ばね、弾性片、コイルスプリング等である。なお、弾性片は機構板または球経路に一体に形成するのが好ましい。
【００１８】
【発明の実施の形態】
以下に本発明を図面を参照して説明する。図１は本発明に係るパチンコ遊技機の裏面図である。図において、１はパチンコ遊技機の機枠、２は該機枠の前面に回動自在に装着された前面枠、３は前面枠２の後面に遊技盤取付枠４を介して着脱自在に取付けられる遊技盤であって、該遊技盤３の裏面には入賞球集合カバー５が配設されており、該入賞球集合カバー５の裏面に基板ボックス６が装着されている。該基板ボックス６にはパチンコ遊技機の遊技内容を制御するための回路基板が収納されている。
【００１９】
７は遊技盤３の裏面に装着される機構板であり、合成樹脂によりほぼ方形状に成形されている。この機構板７のほぼ中央に、前記基板ボックス６および遊技盤３に設けられる可変表示装置８の後部を臨ませるための窓部９が開設されており、該窓部９の上方には球経路の一つであるパチンコ球を貯留する球タンク１０が取付けられる。また、球タンク１０の下方には球払出装置１１にパチンコ球を整列して導き出す球経路としての球誘導樋１２および屈曲誘導樋１３が接続されている。また、球払出装置１１の下方には、払出されたパチンコ球を前面枠２の前面の上下球受皿（図示せず）へ導くための排出樋１４がユニット状に設けられる。また、窓部９の下方には入賞球集合樋１５が設けられ、該入賞球集合樋１５に連通して入賞球を１個ずつ排出処理する入賞球排出処理装置１６が設けられている。
【００２０】
前記球タンク１０は、図２および図４に示すように上面が開口する平面略長方形の箱形に形成され、機構板７に接する後面壁１７と、該後面壁１７に対向する前面壁１８と、左側壁１９と右側壁２０および底壁２１とからなる。該底壁２１は、ほぼ平坦面であり左側壁１９に向かって緩やかに下傾している。そして、底壁２１の下流端部であり、かつ前後巾のほぼ中央にパチンコ球が流出する長方形状の球導出口２２が開設される。また、左右側壁１９，２０の外側中央に取付突片２３，２３が突設され、該取付突片２３，２３により機構板７に取付けられる。
【００２１】
前記球誘導樋１２は、図２および図７に示すように機構板７に接する後側壁２４と底壁２５および前側壁２６とで上面が開放した樋状に形成されると共に、底壁２５中央に下方に向うにしたがって高くなるように形成された仕切壁２７によって球通路２８ａ，２８ｂが形成され、パチンコ球が二列になって流下するようになっている。また、前側壁２６を膨出して補助通路２８ｃが形成されている。
【００２２】
また、球誘導樋１２は左側壁２９の後側壁２４側に後面が開放した取付突部３０が形成され、その前面にビス挿通長孔３１を貫設している。そして、球誘導樋１２の下流端を下方に屈曲して嵌合片３２が突設されている。５０は屈曲誘導樋１３と接触状に設けられる接触片である。
【００２３】
前記屈曲誘導樋１３は、図３に示すように前後壁５１，５２および隔壁５３により前記球誘導樋１２の球通路２８ａ，２８ｂと連通する二条の屈曲球通路５４ａ，５４ｂが形成され、前後壁５１，５２および隔壁５３を貫通状にビス孔５５を有する長径の取着孔５６が形成されている。６０は、球抜弁６０ａおよびリンク６０ｂ，操作片６０ｃからなる球抜装置である。
【００２４】
一方、機構板７には図２および図３に示すように球タンク１０の取付凹部３３を形成すると共に、その両側に位置して突起部４７を突設した取付部４８を設けている。また、球誘導樋１２の上流位置に前記取付突部３０に合致する突部３４を突設し、球誘導樋１２の下流側に位置して前記嵌合片３２を受容する上面開口した受部３５が設けられると共に、屈曲誘導樋１３の取付ボス５７，５７が設けられている。該取付ボス５７，５７の基部に透孔５８を穿設している。３６，３６は、球誘導樋１２の後側壁２４の下端が進退自在に差し込まれる側面Ｌ字状の受止め片で、６１は受部３５下部に設けられた補強用リブである。
【００２５】
しかして、上記のように構成される球タンク１０は、図２および図５に示すように機構板７の取付凹部３３に後面壁１７を臨ませて取付突片２３，２３を弾性部材としてのウレタンゴム３７，３７を介してビス止め等の適宜手段によって固着し、少なくとも後面壁１７の上下部を機構板７に当接させることなく空間部３８，３８を形成し、図７矢印に示すように取付突片２３，２３を中心に前後に揺動可能な状態で取付けられる。
【００２６】
また、前記球誘導樋１２の取付けは、嵌合片３２を弾性部材としてのウレタンゴム３９を介して受部３５に受容する。そして、後側壁２４の下端を受止め片３６，３６に差し込むと共に、取付突部３０を機構板５の突部３４と合致させ、ビス挿通長孔３１からビス４０を突部３４に螺合し、取付突部３０を軸支部として球誘導樋１２の下流側が上下方向に揺動自在に装着される。なお、弾性部材は図９に示すように機構板７と一体に形成される弾性片３９ａであってもよい。
【００２７】
また、前記屈曲誘導樋１３の取付けは、図１０に示すように取着孔５６に取付ボス５７，５７を嵌挿してビス孔５５を介して取付ボス５７にビス着５９することで上部取付ボス５７が重心位置となり、該上部取付ボス５７を揺動軸支部として取付ボス５７と透孔５８間の隙間により、該屈曲誘導樋１３が揺動可能な状態に取着される。このとき、屈曲球通路５４ａ，５４ｂの下端と連通する球払出装置１１の供給口は屈曲誘導樋１３の揺動分の余裕をもった幅広開口とするのが好ましい。また、屈曲誘導樋１３は、下部取付ボス５７を揺動軸支部として取付ボス５７と透孔５８間の隙間により、該屈曲誘導樋１３の上部が揺動可能な状態に取着してもよく、このとき重心位置を常に屈曲誘導樋１３の上部が球誘導樋１２側に傾動した状態となるようにし、屈曲部を流動するパチンコ球により右側に傾動して振動させるようにしてもよい。また、屈曲誘導樋１３の上部右側に弾性部材を介在させて、パチンコ球の流動に反発して常に左傾動した状態となるようにしてもよい。
【００２８】
上記のように球経路が装着されたパチンコ遊技機に、図示しない補給経路からパチンコ球補給されると、パチンコ球が球タンク１０に貯留され、底壁２１の傾斜によって球導出口２２から球誘導樋１２に流出し、屈曲誘導樋１３を介して球払出装置１１に供給される。
【００２９】
そして、球払出装置１１が作動してパチンコ球が排出樋１４に払出されると、球タンク１０のパチンコ球は、球導出口２２から球誘導樋１２に流出する。このとき球導出口２２付近でバランスがとれて球詰りが起きそうになっても、図７に示すようにパチンコ球が流下することで球タンク１０がウレタンゴム３７および上下空間部３８，３８により僅かに揺動し、バランスが崩れて球詰りが起ることなくスムーズに流れる。また、球誘導樋１２においても下流側が弾性部材としてのウレタンゴム３９を介して支持されているので、パチンコ球が流下することにより図４矢印および図８鎖線に示すように上下方向に僅かに揺動し、仕切壁２７等で球詰りしそうになっても、球崩れてスムーズに流下する。また、屈曲誘導樋１３も揺動可能な状態に取着されているため、その振動が接触片５０により屈曲誘導樋１３に伝わり、屈曲誘導樋１３で球詰りすることなく確実に球払出装置１１に供給することができる。
【００３０】
なお、前記球タンク１０の取付突片２３，２３の設置位置は、球タンク１０の揺動方向に対してバランスの取れる位置とするのが好ましく、球タンク１０の大きさ，球量等により上下前後方向に変更するのがよい。
【００３１】
また、上記した実施の形態では球誘導樋１２，屈曲誘導樋１３の球通路２８ａ，２８ｂ，５４ａ，５４ｂの通路幅をほぼパチンコ球１個分としたが、上記構成にすることによりパチンコ球がランダムに並列可能な幅広（１３ｍｍ〜３０ｍｍ程度）の球通路とすることも可能となり、球詰りすることなく流下させることができる。また、球通路を幅広とすることで、パチンコ球が流下する際パチンコ球とパチンコ球がぶつかり合い、より振動を発生させることができる。特に屈曲部および垂直部、また幅広通路部を狭窄する箇所を流下する際に顕著である。
【００３２】
図１１は、球タンク１０および球誘導樋１２等の球経路を揺動自在に取着する他の実施の形態を示し、前記突部３４および取付部４８の周囲に複数の透孔４９，４９を穿設し、突部３４，取付部４８部分に弾性を付与し、球タンク１０および球誘導樋１２を揺動可能に取着することができる。また、取付突片２３，２３および取付突部３０の根元に透孔を穿設し、揺動自在に取着するようにしてもよい。また、機構板７と接触する球タンク１０および球誘導樋１２，屈曲誘導樋１３の後面壁１７および後側壁２４，後壁５２にウレタンシートを介して機構板７に装着するようにしてもよい。
【００３３】
また、図１２は、球誘導樋１２の下流端を屈曲誘導樋１３の一部で支持するようにした実施の形態を示している。この実施の形態は、屈曲誘導樋１３の上流端にコ字状の凹溝状の支持部４３を設け、前記球誘導樋１２の嵌合片３２を弾性部材４４を介して凹溝状の支持部４３に嵌合するようにしている。これにより、球誘導樋１２と屈曲誘導樋１３の接続状態が正しく保持されると共に、パチンコ球の流下により球誘導樋１２が揺動し、その振動が屈曲誘導樋１３にも伝達され、屈曲誘導樋１３においても球詰りを起すことがない。
【００３４】
また、図１３に示すように、球誘導樋１２の嵌合片３２の下面を鈍角に形成し、受部３５のウレタンゴム３９で支持するようにしている。この際支点となる頂部を支持するウレタンゴム３９は、ウレタンエマルジョン液等を塗布して含浸させ他部より固めにするのが好ましい。このようにすることで、球誘導樋１２を前後方向に揺動可能とすることができる。また、逆に山形状に形成したウレタンゴム３９で嵌合片３２の下面を支持するようにしてもよい。このとき、嵌合片３２の下面にウレタンゴム３９の頂部が嵌る凹部を形成するのがよい。なお、これら揺動の支点となる頂部は、ちょうど球誘導樋１２のバランスの取れる位置とするのが好ましく、同図においては補助通路２８ｃにより仕切壁２７より補助通路２８ｃ側に支点が位置している。
【００３５】
また、図１４に示すように球誘導樋１２の後側壁２４と機構板７との間に空間部３８を設け、弾性部材としての板バネ３９ｂを後側壁２４および下面の空間部３８に設けるようにして前後方向に揺動自在に装着するようにしてもよい。また、図１５に示すように球誘導樋１２下面に円弧状リブ６３を設け、受部３５の凹溝６４で支持するようにしてもよい。なお、図上弾性部材として機構板７および受部３５に弾性片３９ａを形成し、後側壁２４および底壁２５を支持するようにしている。
【００３６】
また、図１６に示すように球経路である球誘導樋１２の流下方向のほぼ中心を軸支６２して、同図矢印に示すようにシーソー状に揺動するようにしてもよい。このとき、軸支６２位置は球タンク１０からパチンコ球が供給され、そのパチンコ球の流下により球誘導樋１２が上流側に揺動しても球誘導樋１２が常に下流側に下傾する位置とするのが望ましい。また、上下流端を弾性部材により支持するのが好ましい。
【００３７】
また、図１７に示すように、球タンク１０および球誘導樋１２，屈曲誘導樋１３等の球経路の底壁２１，２５および屈曲部にパチンコ球の半径以下の連続的な段部４５を形成することが望ましく、底壁２１，２５を細かな階段状とすることでパチンコ球が流下する際にこの段差を落下する度に振動が発生し易くなり、その振動で確実に球崩しをすることができる。また、このとき段差の高さまたは間隔を異ならせるようにしてもよく、高さ・間隔を異ならせることにより振動に微妙な変化を与えることができ、より球詰りを防ぐことができる。また、段部４５の基部にパチンコ球が嵌ることなく流下の妨げとならないようにパチンコ球の流下方向と直交する幅方向にゴミ落し用の開口溝４６を形成することができ、従来側壁に沿ってしか設けられていない開口溝に比べ確実なゴミ落しが可能となる。
【００３８】
なお、弾性部材は球経路を揺動可能にすると共に、球経路を初期位置に復帰させる用をなし、上記実施の形態に示したウレタンゴム３７，３９または弾性片３９ａ，板バネ３９ｂに限定されることなくコイルスプリング等のように弾性を付与するものであればよい。また、弾性片３９ａは球経路側に一体に形成するようにしてもよい。
【００３９】
また、実施の形態として球経路を球タンク１０，球誘導樋１２，屈曲誘導樋１３として説明したが、上下球受皿へ導くための排出樋１４および入賞球集合樋１５においても適応可能であり、パチンコ球の流下により揺動するようにすればよい。また、実施の形態で示した球誘導樋１２の取着方法を球タンク１０の取着方法に応用して、球タンク１０の一端を機構板７に固着し、他端を弾性部材を介して支持させ、球タンク１０が一端を軸支部として上下方向に揺動可能となるように装着するようにしてもよい。なお、球経路を球払出装置１１と接触状に設け、球払出装置１１の払出時の振動を球経路に伝達するようにしてもよい。また、球経路全体を揺動自在としたが、部分的に揺動自在としてもよく、例えば球タンク１０および球誘導樋１２に設けられる球切れ検出弁や屈曲誘導樋１３に設けられる球抜弁６０ａを揺動自在に設け、さらに上面に細かな段差を形成するようにしてもよい。
【００４０】
【発明の効果】
以上、説明したところから明らかなように、本発明においては、パチンコ球が流下する球タンクおよび球誘導樋等の球経路を揺動可能に設けることによって、パチンコ球が流下することにより揺動するようにしたので、従来のように電気的駆動源により振動を発生するのに比べコストを大幅に削減することができると共に、球経路での球詰りを未然に防ぎ球切れ等により遊技を妨げることがない。
【図面の簡単な説明】
【図１】パチンコ遊技機の裏面図である。
【図２】球タンクおよび球誘導樋を外して示す要部の斜視図である。
【図３】屈曲誘導樋を外して示す要部の斜視図である。
【図４】球経路部分の正面図である。
【図５】機構板に球タンクの取付けを示す平面図である。
【図６】球タンク部分の側面図である。
【図７】球タンク部分の側断面図である。
【図８】球誘導樋の要部断面図である。
【図９】他の実施の形態の球誘導樋の要部側断面図である。
【図１０】屈曲誘導樋の要部断面図である。
【図１１】他の実施の形態の取付部の要部斜視図である。
【図１２】他の実施の形態の球誘導樋の要部断面図である。
【図１３】他の実施の形態の球誘導樋の要部断面図である。
【図１４】他の実施の形態の球誘導樋の要部断面図である。
【図１５】他の実施の形態の球誘導樋の要部断面図である。
【図１６】他の実施の形態の球誘導樋の正面断面図である。
【図１７】球経路の要部断面図である。
【符号の説明】
５                        機構板
１０                      球タンク（球経路）
１１                      球払出装置
１２                      球誘導樋（球経路）
１３                      屈曲誘導樋（球経路）
１４                      排出樋（球経路）
１５                      入賞球集合樋（球経路）
１７                      後面壁
２１                      底壁
２５                      底壁
３０                      取付突部（軸支部）
３２                      嵌合片
３５                      受部
３７                      ウレタンゴム（弾性部材）
３８                      空間部
３９                      ウレタンゴム（弾性部材）
３９ａ                    弾性片（弾性部材）
３９ｂ                    板バネ（弾性部材）
４２                      係合片
４３                      支持部
４４                      弾性部材
４５                      段部
５０                      接触片
５７                      取付ボス（軸支部）
【図１】
0003581650.tif 000002
【図２】
0003581650.tif 000003
【図３】
0003581650.tif 000004
【図４】
0003581650.tif 000005
【図５】
0003581650.tif 000006
【図６】
0003581650.tif 000007
【図７】
0003581650.tif 000008
【図８】
0003581650.tif 000009
【図９】
0003581650.tif 000010
【図１０】
0003581650.tif 000011
【図１１】
0003581650.tif 000012
【図１２】
0003581650.tif 000013
【図１３】
0003581650.tif 000014
【図１４】
0003581650.tif 000015
【図１５】
0003581650.tif 000016
【図１６】
0003581650.tif 000017
【図１７】
0003581650.tif 000018